(57)【特許請求の範囲】
【請求項１】
他のデータ処理装置とともにデータ処理システムを構成するデータ処理装置において、
起動動作が完了した後に他のデータ処理装置の起動動作が完了するまでの間に節電モードである第１の動作待機モードを実行するとともに、他のデータ処理装置の起動動作が完了した後に前記第１の動作待機モードを解除して入力操作を待機する第２の動作待機モードを実行することを特徴とするデータ処理装置。
【請求項２】
自己又は他のデータ処理装置のうち起動時間がより長いいずれか一方における起動動作が所定の段階に達した時に、残る他方に電源を投入する制御を行う請求項１に記載のデータ処理装置。
【請求項３】
前記第１の動作待機モードが、データ処理動作の一部の実行を規制するモードである請求項１に記載のデータ処理装置。
【発明の詳細な説明】
【０００１】
【産業上の利用分野】
この発明は、他のデータ処理装置とともにデータ処理システムを構成し、データを処理するデータ処理装置に関する。
【０００２】
【従来の技術】
操作部の操作により入力された処理データに基づいてデータの処理動作を実行するデータ処理装置として、例えば、カラーディジタル複写機では、近年の多機能化、高性能化にしたがって処理内容の指示操作が複雑化する傾向にある。このため、特開平６−３５２８２号公報に開示されているように、タッチパネル等の入力タブレットを備えた表示部を操作パネル上に配置し、この表示部に設定画面を表示して入力タブレットの操作によるデータの指示入力を受け付けるようにした構成が提案されている。
【０００３】
ところが、操作パネル上において表示部を設置するためのスペースには限りがあり、このスペースを越えて表示部を大型化することはできないため、表示できる設定画面の情報量、及び、入力タブレットの操作によって入力できるデータ量には限界がある。また、装置が出荷された段階で、設定画面の表示に関するソフトウェアが確定してしまい、その後に操作性を向上させたソフトウェアに更新することが困難である。
【０００４】
そこで、特開平５−１４５６７３号公報には、外部の汎用パソコン等を第２の操作手段として使用し、第２の操作手段において設定入力された操作パラメータに基づいてカラーディジタル複写機における処理を実行するようにした構成が開示されている。また、実公平２−６４５１号公報には、予め設定入力された操作モードを記憶する外部の操作装置を複写機本体に対して着脱自在にし、複写機本体に装着された操作部に記憶されている操作モードによる複写動作を実行するようにした構成が開示されている。
【０００５】
この構成により、複写機本体の操作パネルのスペースに限定されることなく表示画面を大型化できるとともに、外部の操作装置において設定画面の表示に関するソフトウェアの更新を容易に行うことができる。
【０００６】
このように、従来より、データ処理装置に対して他のデータ処理装置から入力された処理データに基づいてデータの処理動作を実行するようにしたデータ処理システムが提案されており、複数のデータ処理装置の少なくとも１つが複写機である場合に、他のデータ処理装置として所謂モバイルコンピュータ等の携帯端末を用いることも考えられる。
【０００７】
【発明が解決しようとする課題】
しかしながら、処理データの入力操作を他のデータ処理装置において行えるようにした従来のデータ処理装置では、複数のデータ処理装置のそれぞれにおいて起動動作に要する時間が異なる場合を考慮したものがなかった。
【０００８】
このため、例えば、複数のデータ処理装置が、定着装置の温度を所定温度まで上昇させるための比較的長時間のウォーミングアップ処理を必要とする複写機、及び、外部装置が電源投入時から操作入力の受付開始までの起動時間が比較的短時間である携帯端末装置によって構成される場合に、複写機と携帯端末装置との電源を同時に投入すると、携帯端末装置における起動動作が完了した時点では複写機において起動動作が完了しておらず、携帯端末装置の電源を投入した状態のままで複写機の起動動作の完了を待機する必要があり、携帯端末装置の電源が無駄に消費されることになる。
【０００９】
このように、従来のデータ処理装置では、起動動作に要する時間が他のデータ処理装置と異なる場合に、一方の装置の起動状態に基づいて他方の装置の起動動作を制御するようにしたものがなく、データ処理システムを構成する各データ処理装置を理想的な状態で動作させることができない問題があった。
【００１０】
この発明の目的は、システムを構成する複数の装置の一方の装置の起動状態に基づいて他方の装置の起動動作を制御することにより、システムを構成する複数の装置において起動動作に要する時間に差異がある場合にも、理想的な状態で動作させることができるデータ処理装置を提供することにある。
【００１１】
【課題を解決するための手段】
請求項１に記載した発明は、他のデータ処理装置とともにデータ処理システムを構成するデータ処理装置において、
起動動作が完了した後に他のデータ処理装置の起動動作が完了するまでの間に節電モードである第１の動作待機モードを実行するとともに、他のデータ処理装置の起動動作が完了した後に前記第１の動作待機モードを解除して入力操作を待機する第２の動作待機モードを実行することを特徴とする。
【００１２】
請求項１に記載した発明においては、データ処理システムに含まれるいずれかのデータ処理装置が起動動作を完了した際に他のデータ処理装置の起動動作が完了していない場合に、他のデータ処理装置の起動動作が完了するまでの間において動作待機モードを変更する。したがって、他のデータ処理装置の起動状態に応じてデータ処理装置の動作待機モードが変更され、各データ処理装置が理想的な状態で動作する。
【００１３】
請求項２に記載した発明は、自己又は他のデータ処理装置のうち起動時間がより長いいずれか一方における起動動作が所定の段階に達した時に、残る他方に電源を投入する制御を行うことを特徴とする。
【００１４】
請求項２に記載した発明においては、起動時間が異なる複数のデータ処理装置のうち、起動時間が長いデータ処理装置における起動動作が所定の段階に達した時に、起動時間が短いデータ処理装置に電源を投入する。したがって、データ処理システムに含まれるいずれかのデータ処理装置において他のデータ処理装置から出力されたデータに基づく処理を実行する際に、複数のデータ処理装置のそれぞれの起動時間が異なる場合にも、起動動作を完了したデータ処理装置において他のデータ処理装置の起動動作の完了を長期間にわたって待機する必要がなく、各データ処理装置が理想的な状態で起動する。
【００１７】
請求項３に記載した発明は、前記第１の動作待機モードが、データ処理動作の一部の実行を規制するモードであることを特徴とする。
【００１８】
請求項３に記載した発明においては、データ処理システムに含まれるいずれかのデータ処理装置が起動動作を完了した際に他のデータ処理装置の起動動作が完了していない場合に、他のデータ処理装置の起動動作が完了するまでの間において節電モードを実行する。したがって、他のデータ処理装置の起動動作が完了するまでの間における電力消費量が減少し、ランニングコストの低廉化が図られる。
【００２３】
【発明の実施の形態】
以下に、この発明の実施形態の一例として、複数のデータ処理装置として、ディジタルカラー複写機、及び、ディジタルカラー複写機（以下、単に複写機という。）に着脱自在にされた携帯端末装置を含むデータ処理システムを例にあげて説明する。なお、データ処理システムに含まれるデータ処理装置としては、互いに処理動作に関するデータの入出力を行うことを条件として、種々の装置を適用することができる。
【００２４】
図１は、この発明の実施形態に係るデータ処理装置である複写機の構成を示す図である。複写機１の上面には、原稿台１１１及び図外の操作パネルが設けられている。原稿台１１１の上面には、自動原稿送り装置１１２が原稿台１１１の上面を開閉自在にして装着されている。一方、複写機１の内部には、画像読取部１１０、画像形成部２１０及び用紙給紙部２１１が構成されている。
【００２５】
自動原稿送り装置１１２としては、積層載置された複数枚の両面原稿を１枚ずつ表裏面を反転して原稿台１１１に搬送できる自動両面原稿送り装置を用いることができる。自動両面原稿送り装置は、両面原稿については、１枚の原稿をその表面が原稿台１１１に対向するように搬送し、表面に対する画像読取処理が終了した後にその原稿の表裏面を反転して裏面が原稿台１１１に対向するように搬送し、１枚の原稿の表裏面について画像読取処理が終了すると、その原稿を排出して次の原稿について同様に原稿台１１１への搬送を行う。この自動原稿送り装置１１２における原稿搬送動作は、複写機１の全体の動作の一部として制御される。
【００２６】
画像読取部１１０は、露光ランプ及びミラーを搭載した第１走査ユニット１１３、ミラーを搭載した第２走査ユニット１１４、光学レンズ１１５及び光電変換素子１１６を備えている。第１走査ユニット１１３及び第２走査ユニット１１４は、原稿台１１１の下面を原稿台１１１に平行に移動し、露光ランプの光によって原稿台１１１に対向する原稿の画像を走査して原稿の画像面における反射光を光学レンズ１１５に配光する。光学レンズ１１５は、原稿の画像面における反射光を光電変換素子１１６に結像する。光電変換素子１１６は、原稿の画像面における反射光に応じた電気信号を画像信号として出力する。
【００２７】
用紙給紙部２１１は、給紙カセットに収納された用紙を１枚ずつ分離して画像形成部２１０方向に給紙する。用紙給紙部２１１から給紙された用紙は、レジストローラ２１２に前端部を当接して一旦停止した後、レジストローラ２１２の回転により画像形成部２１０の動作に同期して画像形成部２１０内に導かれる。画像形成部２１０の下部には、搬送ベルト機構２１３が配置されている。搬送ベルト機構２１３は、駆動ローラ２１４と従動ローラ２１５との間に搬送ベルト２１６を張架しており、吸着用帯電ブラシ２２８により帯電した搬送ベルト２１６の表面に用紙を静電吸着して搬送する。
【００２８】
画像形成部２１０は、第１〜４の画像形成ステーションＰａ〜Ｐｄを備えている。第１の画像形成ステーションＰａは、矢印Ｆ方向に回転自在に支持した感光体ドラム２２２ａの周囲に、感光体ドラム２２２ａの表面に単一極性の電荷を帯電する帯電器２２３ａ、感光体ドラム２２２ａの表面に画像光を照射するレーザユニット２２７ａ、感光体ドラム２２２ａの表面に形成された静電潜像をトナー像に顕像化する現像装置２２４ａ、感光体ドラム２２２ａの表面に担持されたトナー像を用紙の表面に転写する転写器２２５ａ、及び、感光体ドラム２２２ａの表面に残留したトナーを除去するクリーナ２２６ａを対向して配置している。第２〜４の画像形成ステーションＰｂ〜Ｐｄのそれぞれは第１の画像形成ステーションＰａと同一の構成を有している。
【００２９】
第１〜４の画像形成ステーションＰａ〜Ｐｄのそれぞれは、イエロー、マゼンタ、シアン及びブラックの各色に対応している。即ち、光電変換素子１１６から出力された画像信号が後述する画像処理部においてイエロー、マゼンタ、シアン及びブラックの各色の画像データに画像処理されてレーザユニット２２７ａ〜２２７ｄのそれぞれに供給される。
【００３０】
レーザユニット２２７ａ〜２２７ｄのそれぞれは、画像データに応じたレーザ光を照射する半導体レーザ素子、レーザ光を主走査方向に偏向させるポリゴンミラー、及び、偏向後のレーザ光を感光体ドラム２２２ａ〜２２２ｄの表面に結像させるｆθレンズを備え、イエロー、マゼンタ、シアン及びブラックの各色の画像データに基づく画像光を感光体ドラム２２２ａ〜２２２ｄのそれぞれの表面に照射する。
【００３１】
また、現像装置２２４ａ〜２２４ｄのそれぞれには、イエロー、マゼンタ、シアン及びブラックの各色のトナーが収納されている。これによって、感光体ドラム２２２ａ〜２２２ｄのそれぞれの表面にイエロー、マゼンタ、シアン及びブラックの各色のトナー像が形成される。
【００３２】
画像形成ステーションＰａ〜Ｐｄのそれぞれにおいて形成された各色のトナー像は、搬送ベルト２１６の表面に静電吸着した用紙に転写される。複写機１の内部において搬送ベルト機構２１３の下流側には定着装置２１７が配置されており、トナー像を転写した用紙は定着装置２１７に導かれて加熱及び加圧を受け、トナー像は用紙の表面に溶融して定着する。定着装置２１７を通過した用紙は、ゲート２１８の動作により排紙ローラ２１９又はスイッチバック搬送路２２１に選択的に導かれる。即ち、片面複写モード時及び両面複写モードにおける用紙両面への複写終了時には、用紙は排紙ローラ２１９を介して排紙トレイ２２０に排出される。一方、両面複写モードにおける用紙片面への複写終了時には、用紙はスイッチバック搬送路２２１において表裏面を反転して画像形成部２１０に再度給紙される。
【００３３】
図２は、上記複写機の制御部の構成を示すブロック図である。複写機１の各部は、中央処理ユニット４４によって統括制御されている。このため、中央処理ユニット４４には、画像処理部４１、操作パネルユニット４５、ＡＤＦ関係負荷４６、データ通信ユニット４７、画像読取部関係負荷４８、画像形成部関係負荷４９、センサ入力部５０及び用紙搬送関係負荷５１が接続されている。
【００３４】
ＡＤＦ関係負荷４６には、自動原稿送り装置１１２における原稿の搬送動作に必要なモータ、クラッチ及びスイッチ等が含まれる。画像読取部関係負荷４８には、画像読取部１１０における走査ユニット１１３，１１４の動作に必要なモータやソレノイド等が含まれる。画像形成部関係負荷４９には、感光体ドラム２２２ａ〜２２２ｄの回転動作等に必要なモータ、ソレノイド及び高圧電源回路等が含まれる。用紙搬送関係負荷５１には、用紙給紙部２１１から画像形成部２１０を経由して排紙トレイ２２０に至る用紙搬送路を構成する給紙ローラ、レジストローラ２１２、搬送ベルト２１６及び排紙ローラ２１９等の回転動作に必要なモータやクラッチ等が含まれる。
【００３５】
画像処理部４１は、画像入力部４０、画像データ出力部４２及び画像データ記憶部４３を備えている。画像処理部４１は、画像読取部１１０の光電変換素子１１６から入力された画像信号を画像データ入力部４０においてディジタルデータに変換し、所定の処理を施して画像データ記憶部４３に一時格納した後、画像データ出力部４２から画像形成部２１０のレーザユニット２２７ａ〜２２７ｄに出力する。
【００３６】
センサ入力部５０には、用紙給紙部２１１から画像形成部２１０を経由して排紙トレイ２２０に至る用紙搬送路中に配置された複数の用紙検知センサ、及び、複写機１の各部の開閉状態を検出するロック検知センサが接続されている。センサ入力部５０は、これら用紙検知センサ及びロック検知センサの検出信号を中央処理ユニット４４に入力する。
【００３７】
操作パネルユニット４５には、複写機１の上面に配置された操作パネルを構成するキースイッチやディスプレイ等が含まれる。操作パネルユニット４５は、キースイッチの操作による画像処理データの入力を受け付けて入力された画像処理データを中央処理ユニット４４に出力するとともに、中央処理ユニット４４から入力された表示データをディスプレイに表示する。
【００３８】
データ通信ユニット４７には、後述する携帯端末装置が接続される。中央処理ユニット４４は、データ通信ユニット４７を介して携帯端末装置から画像データ及び画像処理データの入力を受け付けるとともに、データ通信ユニット４７を介してて携帯端末装置に表示データ及び制御データを出力する。
【００３９】
中央処理ユニット４４は、操作パネルユニット４５の操作により、又は、データ通信ユニット４７を介して入力された画像処理データ、及び、センサ入力部５０から入力された検出信号に基づいて、画像処理部４１、ＡＤＦ関係負荷４６、画像読取部関係負荷４８、画像形成部関係負荷４９及び用紙搬送関係負荷５１に制御データを出力するとともに、操作パネルユニット４５に対する表示データの出力、並びに、データ通信ユニット４７を介して携帯端末装置に対する表示データ及び制御データの出力を行う。
【００４０】
図３（Ａ）及び（Ｂ）は、この発明の実施形態に係る別のデータ処理装置である携帯端末装置の正面図及び背面図である。携帯端末装置２は、所謂モバイルコンピュータであり、正面に透明タッチパネル５９を有するカラーディスプレイ３、電源スイッチ４、並びに、置数キー及びリターンキーを含むキースイッチ５を備えている。また、背面に充電型バッテリ６ａ，６ｂの装着部７が形成されている。携帯端末装置２は、装着部７に装着した充電型バッテリ６ａ，６ｂから電力供給を受ける。また、図外のＡＣアダプタを介して商用電源から電力供給を受けることができる。携帯端末装置２は、可搬可能な薄型に形成されており、後述するように複写機１の操作パネルの一部に装着可能な形状にされている。携帯端末装置２は、入力ペン８によるタッチパネル５９の押圧操作、又は、キースイッチ５の操作によりデータの入力を受け付ける。
【００４１】
図４は、上記携帯端末装置の制御部の構成を示すブロック図である。携帯端末装置２の各部は、ＲＯＭ５５及びＲＡＭ５６を備えたＣＰＵ５４によって統括制御される。このため、ＣＰＵ５４には、ディスプレイデータ処理部５２、入力データ処理部５３、ＬＥＤドライバ５７、音源ユニット５８、ＨＤＤドライバ６０、外部データ処理部６１及び電源部６２が接続されている。
【００４２】
ディスプレイデータ処理部５２は、ＣＰＵ５４から出力される表示データをデータ展開してディスプレイドライバ６３に供給する。ディスプレイドライバ６３は、ディスプレイデータ処理部５２から供給されたデータに基づいてカラーディスプレイ３を駆動する。入力データ処理部５３は、キースイッチ５及びタッチパネル５９における操作データをＣＰＵ５４に出力する。ＬＥＤドライバ５７は、ＣＰＵ５４から出力される駆動データに基づいて、携帯端末装置２の動作状態を表示するＬＥＤ６４を点灯する。
【００４３】
音源ユニット５８は、ＣＰＵ５４から出力される音声データに基づいて、携帯端末装置２の動作状態を音声表示するスピーカ６５を鳴動させる。ＨＤドライバ６０は、携帯端末装置２に入出力されるデータを保存するＨＤに対してデータの書込及び読取を行う。外部データ処理部６１は、フロッピディスクやＩＣカード等の記録媒体に対してデータの書込及び読取を行うとともに、ＩＲ通信部やパラレルインタフェースを介して外部装置とのデータの入出力を行う。また、この発明のデータ処理システムを構成する複写機１との間のデータの入出力は、この外部データ処理部６１を介して行われる。電源部６２は、充電型バッテリ６ａ，６ｂ又はＡＣアダプタから携帯端末装置２の各部に電源を供給する。
【００４４】
図５は、上記携帯端末装置の装着時における複写機の操作パネルを示す図である。複写機１の上面に配置された操作パネル１０には、複写枚数の設定入力を受け付ける置数キー１１、設定された複写枚数をクリアする指示入力及び連続複写動作を中止する指示入力を受け付けるクリアキー１２、複写動作を開始する指示入力を受け付けるスタートキー１３、現在設定されている複写処理データの全てをクリアする指示入力を受け付ける全解除キー１４、連続複写動作中に別の複写動作の割込を受け付ける割込キー１５、設定入力された複写枚数を表示する枚数表示器１６、電源のオン／オフや予熱モード等の状態を表示する状態表示器１７、並びに、ファックス機能及びプリンタ機能の実行状態を示す機能表示器１８を備えている。この操作パネル１０の中央部に携帯端末装置２が着脱自在に装着される。
【００４５】
図６は、上記携帯端末装置のディスプレイの表示状態を示す図である。上述した通り、携帯端末装置２はモバイルコンピュータであり、複写機１の操作パネル１０に装着されていない状態で電源スイッチ４をオンすると、携帯端末装置２のカラーディスプレイ３には、図６（Ａ）に示すように、携帯端末装置２にインストールされているアプリケーションソフトの選択画面が表示され、入力ペン８を介してタッチパネル５９を押圧操作していずれかのアプリケーションソフトのプログラムを選択的に起動させることにより、一般的なパーソナルコンピュータとして機能する。
【００４６】
これに対して、携帯端末装置２を複写機１の操作パネル１０に装着した状態で電源スイッチ４をオンすると、携帯端末装置２のカラーディスプレイ３には、図６（Ｂ）に示すように、複写機１における複写動作を制御するための複写処理データの入力画面が表示され、入力ペン８を介してタッチパネル５９を押圧操作して画像濃度や複写倍率等の複写条件を表す複写処理データを設定入力することができる。
【００４７】
図７は、上記複写機の操作パネルに対する携帯端末装置の装着状態を説明する図である。複写機１の操作パネル１０の略中央部に形成された端末装着部１０ａには、図７（Ａ）に示すように、電源供給部１９が収納されている。この電源供給部１９は、携帯端末装置２に装着される充電型バッテリ６ａ，６ｂと同一の形状を呈しており、図７（Ｂ）に示すように、携帯端末装置１０ａの装着部７から充電型バッテリ６，６ｂを取り外した後に、装着部７に電源供給部１９を装着することができる。このように、携帯端末装置２の装着部７に電源供給部１９を装着して電源端子２０に接続することにより、携帯端末装置２に対して複写機１から電源を供給することができる。
【００４８】
なお、装着部７に２個の充電型バッテリ６ａ，６ｂが装着される場合に、複写機１にも２個の電源供給部１９を設け、２個の電源端子２０のそれぞれに接続するようにしてもよい。また、複写機１に携帯端末装置２を装着していない状態において電源供給部１９を保護すべく、複写機１の電源供給部１９の収納位置に遮蔽部材を開閉自在に設けることもできる。
【００４９】
図８は、上記複写機の制御部の処理手順の要部を示すフローチャートである。複写機１に電源が投入されると、複写機１の中央処理ユニット４４は起動動作を開始し（ｓ１）、複写機１の各部におけるトラブルの有無をチェックし（ｓ２）、複写機１の各部が動作可能な状態であれば複写機１のウォーミングアップを開始する（ｓ３，ｓ４）。このウォーミングアップには、定着装置２１７の温度をトナーの溶融温度まで上昇させる処理を含む。
【００５０】
次いで、中央処理ユニット４４は、複写機１の操作パネル１０に携帯端末装置２が装着されているか否かをチェックし（ｓ５）、携帯端末装置２が装着されている場合には携帯端末装置２の電源をオンする（ｓ６）。さらに、中央処理ユニット４４は、携帯端末装置２が起動動作を正常に実行するか否かをチェックし（ｓ７）、携帯端末装置２が起動動作を正常に実行した場合には、携帯端末装置２の起動動作の完了及び複写機１のウォーミングアップの完了を経て、複写動作の開始を指示する入力操作を待機する（ｓ８〜ｓ１０）。
【００５１】
なお、中央処理ユニット４４は、複写機１の操作パネル１０に携帯端末装置２が装着されていない場合には、複写機１のウォーミングアップを完了するまでの間において携帯端末装置２の装着を待機する（ｓ９→ｓ５）。
【００５２】
中央処理ユニット４４は、ｓ７において携帯端末装置２が起動動作を正常に実行していないと判断した場合には、複写機１におけるウォーミングアップ処理の一部の実行を制限し（ｓ１１）、一部を制限したウォーミングアップ処理の完了を待機する（ｓ１２）。中央処理ユニット４４は、一部が制限されたウォーミングアップ処理が完了すると、操作パネル１０に新たな携帯端末装置２が装着されるのを待機し（ｓ１３）、操作パネル１０に新たな携帯端末装置２が装着されると、制限していた一部のウォーミングアップ処理を開始するとともに、新たに装着された携帯端末装置２の電源をオンする（ｓ１４→ｓ６）。
【００５３】
上記ｓ１１において一部の実行を制限するウォーミングアップ処理とは、例えば、定着装置２１７の温度をトナーの溶融温度よりも低い温度に維持する節電モードのウォーミングアップ処理であり、一般的な複写機において所定時間にわたって複写動作が開始されない場合に実行される。この節電モードのウォーミングアップ処理を実行することにより、定着装置２１７における電力消費量を削減してランニングコストの低廉化を図ることができる。
【００５４】
なお、一部が制限されたウォーミングアップ処理が完了した後に、起動動作を正常に実行しなかった携帯端末装置２が操作パネル１０から取り外された状態で所定時間を経過した後に、制限していた一部のウォーミングアップ処理を実行し、複写機１のみによる複写処理を受け付けるようにしてもよい。
【００５５】
また、操作パネル１０に携帯端末装置２が装着されていないと判断した場合、又は、起動動作を正常に実行しなかった携帯端末装置２に代えて新たな携帯端末装置２が装着されるまでの間において、データ通信ユニット４７における画像データの受信処理を規制し、原稿台１１１に載置された原稿又は自動原稿送り装置１１２にセットされた原稿の画像についての複写処理のみの開始を受け付けるようにしてもよい。
【００５６】
さらに、起動動作を正常に実行しなかった携帯端末装置２に代えて新たな携帯端末装置２を操作パネル１０に装着する際に、予め携帯端末装置２に電源を投入して起動動作を完了しておくこととし、中央処理ユニット４４が携帯端末装置２に対する電源の投入処理に代えて、新たに装着された携帯端末装置２が動作可能な状態であるか否かの判別を行うようにしてもよい。
【００５７】
図９は、上記携帯端末装置の制御部の処理手順の要部を示すフローチャートである。携帯端末装置２に電源が投入されると携帯端末装置２のＣＰＵ５４は、携帯端末装置２の各部におけるトラブルの有無をチェックし（ｓ２１）、携帯端末装置２の各部が動作可能な状態であれば携帯端末装置２の起動動作を開始する（ｓ２２，ｓ２３）。
【００５８】
次いで、ＣＰＵ５４は、携帯端末装置２が複写機１の操作パネル１０に装着されているか否かをチェックし（ｓ２４）、携帯端末装置２が複写機１に装着されている場合には複写機１の電源をオンする（ｓ２５）。さらに、ＣＰＵ５４は、複写機１が起動動作を正常に実行するか否かをチェックし（ｓ２６）、複写機１が起動動作を正常に実行した場合には、携帯端末装置２における起動動作を完了した後に複写機１のウォーミングアップが完了するまでの間において携帯端末装置２において節電モードを実行する（ｓ２７〜ｓ２９）。この後、複写機１におけるウォーミングアップが完了すると、携帯端末装置２の節電モードを解除して複写動作の開始を指示する入力操作を待機する（ｓ３０〜ｓ３１）。
【００５９】
ＣＰＵ５４は、ｓ２４において携帯端末装置２が複写機１の操作パネル１０に装着されていないと判断した場合、又は、ｓ２６において複写機１の起動動作が正常に実行されていないと判断した場合には、携帯端末装置２の起動動作が完了した後に、複写機１を用いた複写動作に係る入力操作を除く携帯端末装置２のみの処理機能、例えば、計算機能等に係る入力操作を待機する（ｓ３２，ｓ３３）。
【００６０】
上記ｓ２９においてＣＰＵ５４が実行する節電モードでは、例えば、カラーディスプレイ３の駆動を停止する処理が行われる。この節電モードを実行することにより、複写機１のウォーミングアップが完了するまでの間において、携帯端末装置２における電力消費量を削減してランニングコストの低廉化を図ることができる。
【００６１】
なお、ｓ２９においてＣＰＵ５４が実行する処理として、節電モードに代えて携帯端末装置のみの処理機能に係る入力装置を待機するようにしてもよい。
【００６２】
また、複写機１の操作パネル１０に携帯端末装置２が装着されている状態で、複写機１と携帯端末装置２とに電源が同時に投入された場合に、複写機１及び携帯端末装置２のいずれかにおいて、先に起動動作を完了した一方の装置において、残る他方の装置の起動動作が完了するまでの間において、節電モードを実行する処理、又は、一方の装置のみの処理機能に係る入力操作を受け付ける処理を実行するようにしてもよい。
【００６３】
図１０は、この発明の別の実施形態に係る複写機の制御部の処理手順の要部を示すフローチャートである。複写機１に電源が投入されると、複写機１の中央処理ユニット４４は起動動作を開始し（ｓ４１）、複写機１の各部におけるトラブルの有無をチェックし（ｓ４２）、複写機１の各部が動作可能な状態であれば複写機１のウォーミングアップを開始する（ｓ４３，ｓ４４）。
【００６４】
次いで、中央処理ユニット４４は、複写機１の操作パネル１０に携帯端末装置２が装着されているか否かをチェックし（ｓ４５）、携帯端末装置２が装着されている場合には携帯端末装置２の電源をオンする（ｓ４６）。さらに、中央処理ユニット４４は、携帯端末装置２が起動動作を正常に実行するか否かをチェックし（ｓ４７）、携帯端末装置２が起動動作を正常に実行した場合には、携帯端末装置２の起動動作の完了及び複写機１のウォーミングアップの完了の後、複写機１の操作パネルユニット４５を節電モードの待機状態とし（ｓ４８〜ｓ５０）、携帯端末装置２のタッチパネル５９の操作による複写作業の開始の指示を待機する（ｓ５５）。ｓ５０において設定される節電モードの待機状態とは、例えば、操作パネル１０に配置されているディスプレイや表示器の駆動を停止する状態であり、複写機１における電力消費量を削減するものである。
【００６５】
中央処理ユニット４４は、複写機１の操作パネル１０に携帯端末装置２が装着されていない場合には、複写機１のウォーミングアップを完了するまでの間において携帯端末装置２の装着を待機する（ｓ４９→ｓ４５）。
【００６６】
中央処理ユニット４４は、ｓ４７において携帯端末装置２が起動動作を正常に実行していないと判断した場合には、ｓ５０における節電モードの待機状態の設定をすることなく、複写機１の操作パネルユニット４５の操作による複写機作業の開始の指示を待機する。このとき、中央処理ユニット４４は、複写機１におけるウォーミングアップ処理の一部の実行を制限し（ｓ５１）、一部を制限したウォーミングアップ処理の完了を待機する（ｓ５２）。中央処理ユニット４４は、一部が制限されたウォーミングアップ処理が完了すると、操作パネル１０に新たな携帯端末装置２が装着されるのを待機し（ｓ５３）、操作パネル１０に新たな携帯端末装置２が装着されると、制限していた一部のウォーミングアップ処理を開始するとともに、新たに装着された携帯端末装置２の電源をオンする（ｓ５４→ｓ４６）。
【００６７】
以上の処理により、複写機１は、操作パネル１０に装着された携帯端末装置２の起動動作が適正に行われたか否かに応じて、操作パネル１０を節電モードの待機状態にするか否かを決定し、操作パネル１０又は携帯端末装置２のタッチパネル５９のいずれかを択一的に有効にする。これによって、複写動作の開始の指示入力に係る操作の待機中における電力消費量を削減することができる。
【００６８】
なお、操作パネル１０に起動動作を適正に完了した携帯端末装置２が装着されている場合でも、操作パネル１０に配置されているいずれかのキー等が操作された際に、操作パネル１０の節電モードの待機状態を解除し、操作パネル１０において複写動作に係る処理データの入力操作を受け付けるようにしてもよい。このとき、携帯端末装置２を節電モードの待機状態にし、ディスプレイ３の駆動を停止するようにしてもよい。
【００６９】
【発明の効果】
請求項１に記載した発明によれば、データ処理システムに含まれるいずれかのデータ処理装置が起動動作を完了した際に他のデータ処理装置の起動動作が完了していない場合に、他のデータ処理装置の起動動作が完了するまでの間において動作待機モードを変更することにより、他のデータ処理装置の起動状態に応じてデータ処理装置の動作待機モードを変更し、各データ処理装置を理想的な状態で動作させることができる。
【００７０】
請求項２に記載した発明によれば、起動時間が異なる複数のデータ処理装置のうち、起動時間が長いデータ処理装置における起動動作が所定の段階に達した時に、起動時間が短いデータ処理装置に電源を投入することにより、データ処理システムに含まれるいずれかのデータ処理装置において他のデータ処理装置から出力されたデータに基づく処理を実行する際に、複数のデータ処理装置のそれぞれの起動時間が異なる場合にも、起動動作を完了したデータ処理装置において他のデータ処理装置の起動動作の完了を長期間にわたって待機する必要がなく、各データ処理装置を理想的な状態で起動させることができる。
【００７２】
請求項３に記載した発明によれば、データ処理システムに含まれるいずれかのデータ処理装置が起動動作を完了した際に他のデータ処理装置の起動動作が完了していない場合に、他のデータ処理装置の起動動作が完了するまでの間において節電モードを実行することにより、他のデータ処理装置の起動動作が完了するまでの間における電力消費量を減少し、ランニングコストの低廉化を図ることができる。
【図面の簡単な説明】
【図１】この発明の実施形態に係るデータ処理システムを構成する複写機の構成を示す図である。
【図２】上記複写機の制御部の構成を示すブロック図である。
【図３】上記データ処理システムを構成する携帯端末装置の正面図及び背面図である。
【図４】上記携帯端末装置の制御部の構成を示すブロック図である。
【図５】上記携帯端末装置の装着時における複写機の操作パネルを示す図である。
【図６】上記携帯端末装置のディスプレイの表示状態を示す図である。
【図７】上記複写機の操作パネルに対する携帯端末装置の装着状態を説明する図である。
【図８】上記複写機の制御部の処理手順の要部を示すフローチャートである。
【図９】上記携帯端末装置の制御部の処理手順の要部を示すフローチャートである。
【図１０】この発明の別の実施形態に係る複写機の制御部の処理手順の要部を示すフローチャートである。
【符号の説明】
１−複写機（データ処理装置）
２−携帯端末装置（データ処理装置）
３−ディスプレイ
１０−操作パネル
４４−中央処理ユニット
５４−ＣＰＵ
５９−タッチパネル
【図１】
0003862406.tif 000002
【図２】
0003862406.tif 000003
【図３】
0003862406.tif 000004
【図４】
0003862406.tif 000005
【図５】
0003862406.tif 000006
【図６】
0003862406.tif 000007
【図７】
0003862406.tif 000008
【図８】
0003862406.tif 000009
【図９】
0003862406.tif 000010
【図１０】
0003862406.tif 000011